(57)【特許請求の範囲】
【請求項１】
所定の取付面に取り付けられる板状の底部と、この底部の周縁から一の方向に一体に延設された外周壁と、この外周壁の内側における前記底部の内面から前記一の方向に一体に延設され、実装基板を収納するための箱状の収納室を形成する内周壁とにより構成されるボディと、
このボディの外周壁の内側を閉塞するものであって、前記外周壁と前記内周壁との間に対応する位置に少なくとも１つの孔を形成されたカバーとを備え、
前記カバーは、前記ボディに対してスライド自在であり、前記孔のうち１つ以上の孔は、前記カバーを一方側にスライドさせたときに前記実装基板上に設けた操作部に対向することを特徴とするハウジング。
【請求項２】
請求項１記載のハウジングと、前記収納室内に収納される電子チャイム音発生用の実装基板と、この実装基板からの信号に応じてチャイム音を発生するスピーカとを備え、このスピーカは当該スピーカの出力部を前記ボディの底部内面側に向けて前記内周壁の内側に取り付けられ、前記スピーカの出力部と対向する前記ボディの底部にはスリットが形成されていることを特徴とするエレベータ用電子チャイム。
【発明の詳細な説明】
【０００１】
【発明の属する技術分野】
本発明は、ハウジングおよびこのハウジングを用いたエレベータ用電子チャイムに関するものである。
【０００２】
【従来の技術】
図８にこの種の従来のエレベータ用電子チャイムの一部分解斜視図を示す。図８のエレベータ用電子チャイムは、例えばエレベータが所望の階に到着したときなどにチャイム音を発生するものであり、金属製のボディ１PAおよびカバー２PAによりなるハウジングと、このハウジング内に収納される電子チャイム音発生用の実装基板３PAと、この実装基板３PAと電線４を介して接続され、実装基板３PAからの信号に応じてチャイム音などを発生するスピーカ５とを備えている。
【０００３】
また、図８において、３１PAは、実装基板３PAを外部機器に接続するためのコネクタであり、３２PAは、スピーカ５の音量を調整するためのボリュームであり、外部機器をコネクタ３１PAに接続するための孔１１PAおよびボリューム３２PAの軸を外部に突出させるための孔１２PAがボディ１PAに形成されている。
【０００４】
なお、特開２０００−２９３１７９号公報には、火災報知器等の盤面上の取り付け面に容易に固定できるとともに、固定後は、容易に取り外せないようにすることができるモータ駆動ベルが開示されている。
【０００５】
【発明が解決しようとする課題】
ここで、エレベータ用電子チャイムは、図９（ａ），（ｂ）に示すように、エレベータのかご車ＥＬ１前方のドアＥＬ２の上方に位置する建築ボードＥＬ３間の空洞内における孔の開いた取付面Ｐ１にカバー２PAを鉛直方向上側にして取り付けられる場合や、図９（ｃ）に示すように、かご車ＥＬ１の上壁外部の孔の開いた取付面Ｐ２にカバー２PAを鉛直方向上側にして取り付けられる場合、あるいは図９（ｄ）に示すように、かご車ＥＬ１の穴の開いた側壁内部の取付面Ｐ３にカバー２PA側を奥にして埋め込まれる場合がある。
【０００６】
このような様々な取付面のいずれかにエレベータ用電子チャイムを取り付けると、カバーが水平方向または鉛直方向上側を向くことになるが、このように取付方向が変わると、断面コ字状のボディ１PAおよびカバー２PAを組み合わせただけのハウジングでは、その内部に水滴が侵入する恐れがあった。
【０００７】
本発明は、上記事情に鑑みてなされたものであり、カバーが水平方向を向いていても、鉛直方向上側を向いていても、収納室内への水滴の侵入防止が可能となるハウジングおよびエレベータ用電子チャイムを提供することを目的とする。
【０００８】
【課題を解決するための手段】
上記課題を解決するための請求項１記載の発明のハウジングは、所定の取付面に取り付けられる板状の底部と、この底部の周縁から一の方向に一体に延設された外周壁と、この外周壁の内側における前記底部の内面から前記一の方向に一体に延設され、実装基板を収納するための箱状の収納室を形成する内周壁とにより構成されるボディと、このボディの外周壁の内側を閉塞するものであって、前記外周壁と前記内周壁との間に対応する位置に少なくとも１つの孔を形成されたカバーとを備え、前記カバーは、前記ボディに対してスライド自在であり、前記孔のうち１つ以上の孔は、前記カバーを一方側にスライドさせたときに前記実装基板上に設けた操作部に対向することを特徴とする。
【０００９】
請求項２記載の発明のエレベータ用電子チャイムは、請求項１記載のハウジングと、前記収納室内に収納される電子チャイム音発生用の実装基板と、この実装基板からの信号に応じてチャイム音を発生するスピーカとを備え、このスピーカは当該スピーカの出力部を前記ボディの底部内面側に向けて前記内周壁の内側に取り付けられ、前記スピーカの出力部と対向する前記ボディの底部にはスリットが形成されていることを特徴とする。
【００１０】
【発明の実施の形態】
図１，図２は本発明に係る一実施形態のエレベータ用電子チャイムを示す図、図３〜図５はそれぞれ同エレベータ用電子チャイムに使用されるボディ、カバー（背面カバー）および実装基板を示す図であり、これらの図を参照しながら本実施形態について説明する。
【００１１】
なお、図２（ａ）〜（ｃ）は、それぞれエレベータ用電子チャイムの前（正）面図、断面図および一部切欠き後（背）面図である。図３（ａ）〜（ｆ）は、それぞれボディの前面図、後面図、このＡ−Ａ線断面図、Ｂ−Ｂ線断面図、上側面図および下側面図である。図４（ａ）〜（ｅ）は、それぞれカバーの前面図、後面図、このＣ−Ｃ線断面図、Ｄ−Ｄ線断面図および下側面図である。
【００１２】
本実施形態のエレベータ用電子チャイムは、例えばエレベータが所望の階に到着したときなどにチャイム音などを発生するものであり、図１、図２に示すように、樹脂（ＡＢＳ樹脂など）製のボディ１およびカバー２によりなるハウジングと、このハウジング内に収納される電子チャイム音発生用の実装基板３と、この実装基板３と電線４を介して接続され、実装基板３からの信号に応じてチャイム音などを発生するスピーカ５とを備えている。
【００１３】
ボディ１は、図３に示すように、孔（穴）の開いた所定の取付面（例えば図９に示した取付面）に取り付けられる板状で矩形状の底部（前面部）１１と、この底部１１の周縁から後方（図３（ｂ）では前方）に一体に延設された上外壁１２Ｕ、下外壁１２Ｄ、左外壁１２Ｌおよび右外壁１２Ｒからなる外周壁１２と、この外周壁１２の内側における底部１１の内面から後方に一体に延設された上内壁１３Ｕ、下内壁１３Ｄ、左内壁１３Ｌおよび右内壁１３Ｒからなり、実装基板３を収納するための箱状の収納室Ｒ１を形成する断面矩形状の内周壁１３とにより構成されている。
【００１４】
底部１１において、左右両側の各上端近傍には、フランジ部１４が底部１１の前面と面一に一体に延設され、各フランジ部１４には、ねじ（詳しくはねじの足部）挿通用の円状の孔１４ａが形成されている。一方、左右両側の各下端近傍にも、フランジ部１５が底部１１の前面と面一に一体に延設されているが、各フランジ部１５には、ねじ挿通用の楕円状の孔１５ａが形成されている。
【００１５】
また、図３（ｂ），（ｃ）に示すように、底部１１における上外壁１２Ｕと上内壁１３Ｕとの間には、前後方向に貫通した孔１６ａを有する円筒状の筒部１６が、この一部をリブ状に上内壁１３Ｕと繋げた状態で底部１１の内面から後方に一体に延設されており、そしてその筒部１６の後方先端内部（図３（ｃ）では右方先端内部）には、金属製のナットＮが熱圧入されている。
【００１６】
また、底部１１における内周壁１３の内側四隅近傍には、一対の円柱状の突部１７が、この一部をリブ状に上内壁１３Ｕと繋げた状態で底部１１の内面から後方に一体に延設されているとともに、一対の円柱状の突部１８が、この一部をリブ状に下内壁１３Ｄと繋げた状態で底部１１の内面から後方に一体に延設されている。そして、突部１７，１８には、それぞれねじ止め用の穴１７ａ，１８ａが形成されている。
【００１７】
さらに、底部１１における内周壁１３の内側には、ハウジング内に収納されるスピーカ５からの音を外部に出すための扇状のスリット１１ａが複数同心円状に形成されており、これら複数のスリット１１ａを挟む対向位置には、一対の円柱状の突部１９が底部１１の内面から後方に一体に延設されている。そして、各突部１９にはねじ止め用の穴１９ａが形成されている。また、底部１１における下外壁１２Ｄと下内壁１３Ｄとの間の中央部には、左右方向に伸びるスリット１１ｂが形成されている。
【００１８】
外周壁１２および内周壁１３は、図３（ｃ）に示すように、外周壁１２の一部を除き同一の高さ寸法に設定されており、上述の筒部１６もそれら外周壁１２および内周壁１３と同一の高さ寸法に設定されている。これに対して、図３（ｆ）などに示すように、上述の突部１７，１８は、内周壁１３の半分程度の高さ寸法に設定されている一方、上述の突部１９は、それら突部１７，１８より低い高さ寸法に設定されている。
【００１９】
外周壁１２において、図３（ｅ），（ｆ）に示すように、上下外壁１２Ｕ，１２Ｄの左外壁１２Ｌ近傍には、底部１１の内面にまで伸びるＵ字状の切欠け１２１Ｕ，１２１Ｄがそれぞれ形成されている。また、下外壁１２Ｄの先端中央部分には、先端内向きの一段高くなった突片部１２２ｄが形成されている。さらに、外周壁１２の内側には、複数のリブが形成されており、それらのうちの幾つかは内周壁１３と繋がっている。
【００２０】
内周壁１３において、左外壁１３Ｌは、図３（ｂ），（ｃ），（ｄ）などに示すように、中央部分が左方（図３（ｂ）では右方）に凸の形状に形成されており、その部分の中央部には、一段低くなった切欠け１３１Ｌが形成されている。この切欠け１３１Ｌは、実装基板３と接続された配線を収納室Ｒ１から引き出すためのものであり、引き出された配線は上記切欠け１２１Ｕ，１２１Ｄから外部に引き出されることになる。
【００２１】
カバー２は、図４に示すように、板状で矩形状の底部２１と、この底部２１の周縁から前方に一体に延設された上側壁２２Ｕ、下側壁２２Ｄ、左側壁２２Ｌおよび右側壁２２Ｒからなる側壁２２とにより箱状に形成され、ボディ１の外周壁１２の内側を閉塞するものである。
【００２２】
底部２１において、下側壁２２Ｄおよび左側壁２２Ｌの隅の近傍には、図示しないプラスドライバなどの調整用工具の軸を挿通するための前後方向に貫通した孔２３ａを有する円筒状の筒部２３が、底部２１の内面から前方に一体に延設されており、筒部２３は、ボディ１およびカバー２でハウジングを構成したときに外周壁１２と内周壁１３との間に対応する位置に来るように配置されている。
【００２３】
また、底部２１における上側壁２２Ｕの中央部近傍には、楕円状の筒部２４が底部２１の内面から前方に一体に延設されている。そして、筒部２４の右端側には、ねじＳ１（図２（ｃ）参照）の頭部挿通用の円状の孔２４ａが形成されており、その孔２４ａに連通する、ねじＳ１の足部挿通用のスリット２４ｂを形成するＵ字状の台座部２４１が筒部２４の前方縁部側に一体に連設されている。このような構造の筒部２４も、ボディ１およびカバー２でハウジングを構成したときに外周壁１２と内周壁１３との間に対応する位置に来るように配置されている。
【００２４】
また、筒部２３，２４の近傍には、それぞれ前後方向に貫通した孔２５ａ，２６ａを有する断面円状の突部２５，２６が底部２１の内面から前方に一体に延設されている。そして、突部２５，２６の前方先端内部には、金属製のナットＮがインサートされている（図４（ｄ）参照）。これら突部２５，２６も、ボディ１およびカバー２でハウジングを構成したときに外周壁１２と内周壁１３との間に対応する位置に来るように配置されている。
【００２５】
さらに、底部２１の中央上方には、左右方向に伸びて左右側壁２２Ｌ，２２Ｒと繋がるリブ２７が、底部２１の内面から前方に一体に延設されている。また、上側壁２２Ｕと繋がりこれよりも高い突片２８が一対底部２２の内面から前方に延設されている一方、下側壁２２Ｄと繋がりこれよりも高い突片２９が一対底部２２の内面から前方に延設されている。
【００２６】
側壁２２の各部は、図４（ｃ），（ｅ）に示すように、同一の高さ寸法に設定されており、上述の筒部２４およびリブ２７も側壁２２と同一の高さ寸法に設定されている。これに対して、筒部２３および突部２５，２６は、側壁２２よりも若干低い高さ寸法に設定されている。
【００２７】
また、側壁２２の各部のうち、下側壁２２Ｄは、他の各部よりも厚めに形成されており、その両側には左右方向に伸びる溝２２ａが形成されている。そして、下側壁２２Ｄの中央部には一段内側に退いた段差２２ｂが設けられ、この段差２２ｂの前方縁部（図４（ｃ）では左方縁部）には、リブ状の突片２２１Ｄが下側壁２２Ｄの一部として形成されている。
【００２８】
実装基板３は、図５に示すように、ボディ１の収納室Ｒ１に納まる矩形状に形成されている。実装基板３の中央側には、スピーカ５の後部を挿通するための円状の孔３ａが形成されており、実装基板３の上下端には、実装基板３をボディ１にねじ止めするためのねじの足部挿通用の切欠け３ｂなどが形成されている。そして、実装基板３には、外部機器と接続するためのコネクタ３１およびスピーカ５の音量を調整するためのボリューム３２などを含むチャイム音発生回路用の各種電子部品が実装されている。
【００２９】
次に、上記構成のエレベータ用電子チャイムの組立手順例を説明すると、まずスピーカ５を、この出力部をボディ１の底部１１の内面側に向けて収納室Ｒ１内の所定位置に載置する。続いて、ワッシャＷを付けたねじＳ２を２組用いて（図２（ｃ）参照）、ボディ１の突部１９の各箇所でスピーカ５をねじ止めする。これにより、スピーカ５がボディ１に固定される。
【００３０】
この後、スピーカ５に電線４を介して接続された実装基板３を、このはんだ面をスピーカ５側に向けた状態でスピーカ５の後部を実装基板３の孔３ａに挿通しながら収納室Ｒ１内に収納し、４個のねじＳ２を用いて（図２（ｃ）参照）、ボディ１の突部１７，１８の各箇所で実装基板３をねじ止めする。これにより、実装基板３がボディ１に固定される。
【００３１】
この後、ねじＳ１をボディ１の筒部１６に仮止めした上で、カバー２の下側壁２２Ｄの突片２２１Ｄにボディ１の突片部１２２Ｄの先端を引っ掛けた状態にして、カバー２の孔２４ａにねじＳ１を挿通する。このとき、カバー２は、ボディ１の突片部１２２Ｄがカバー２の段差２２ｂの左右端に当たる範囲内において、ボディ１に対して左右にスライド自在の状態にある。ボディ１に対してカバー２を左（図２（ｃ）では右）にスライドさせると、カバー２の孔２４ａの位置にねじＳ１の頭部が来るので、カバー２をボディ１から取り外すことができる。これに対して、ボディ１に対してカバー２を右（図２（ｃ）では左）にスライドさせると、カバー２の孔２３ａの位置に実装基板３上のボリューム３２が来るので、調整用工具の軸を孔２３ａに挿通してボリューム３２を調整することができ、スピーカ５の音量を調整することができる。
【００３２】
なお、本エレベータ用電子チャイムを図９に示したいずれかの取付面に取り付ける場合には、図示しない取付ねじを４個用いて、フランジ部１４，１５の箇所でねじ止めすれば、本エレベータ用電子チャイムをその取付面に取り付けることができる。この場合、コネクタ３１に外部機器からの配線を接続した後にカバー２をボディ１に取り付けることになる。
【００３３】
このようなエレベータ用電子チャイムによれば、外周壁１２および内周壁１３によって２重に覆われた収納室Ｒ１内に実装基板３およびスピーカ５の双方が収納されるから、カバー２が水平方向を向いていても、鉛直方向上側を向いていても、収納室Ｒ１内への水滴の侵入防止が可能となる。
【００３４】
具体的には、図９に示したいずれかの取付面に本エレベータ用電子チャイムを取り付けたときに、カバー２が図６に示すように水平方向を向く場合、水滴滴下方向が図６（ａ）に示す矢印線ＡＲ１となっても、この方向の水滴から実装基板３およびスピーカ５を内周壁１３で保護することができる。
【００３５】
また、カバー２が図７（ｂ）に示すように鉛直方向上側を向く場合には、水滴滴下方向が図７（ｂ）に示す矢印線ＡＲ２となり、カバーに孔を有する構造ではハウジングの内部に水滴が侵入することになるが、本実施形態では、図７（ａ）に示すように、カバー２の孔２３ａ，２４ａ，２５ａ，２６ａおよびスリット２４ｂの全てが外周壁１２と内周壁１３との間に対応する位置に来るので、それらからハウジング内部に水滴が侵入したとしても、その水滴から実装基板３およびスピーカ５を内周壁１３で保護することができる。
【００３６】
【発明の効果】
以上のことから明らかなように、請求項１記載の発明のハウジングによれば、所定の取付面に取り付けられる板状の底部と、この底部の周縁から一の方向に一体に延設された外周壁と、この外周壁の内側における前記底部の内面から前記一の方向に一体に延設され、実装基板を収納するための箱状の収納室を形成する内周壁とにより構成されるボディと、このボディの外周壁の内側を閉塞するものであって、前記外周壁と前記内周壁との間に対応する位置に少なくとも１つの孔を形成されたカバーとを備え、前記カバーは、前記ボディに対してスライド自在であり、前記孔のうち１つ以上の孔は、前記カバーを一方側にスライドさせたときに前記実装基板上に設けた操作部に対向するので、カバーが水平方向を向く状態でハウジングが取付面に取り付けられた場合に、ハウジング内部に水滴が侵入しても、その水滴から実装基板を内周壁で保護することができるほか、カバーが鉛直方向上側を向く状態でハウジングが取付面に取り付けられた場合には、カバーに孔を有する構造ではハウジングの内部に水滴が侵入することになるが、本発明のカバーに形成された少なくとも１つの孔は外周壁と内周壁との間に対応する位置にくるから、ハウジング内部に侵入した水滴から実装基板を内周壁で保護することができる。したがって、カバーが水平方向を向いていても、鉛直方向上側を向いていても、収納室内への水滴の侵入防止が可能となる。
【００３７】
請求項２記載の発明のエレベータ用電子チャイムによれば、請求項１記載のハウジングと、前記収納室内に収納される電子チャイム音発生用の実装基板と、この実装基板からの信号に応じてチャイム音を発生するスピーカとを備え、このスピーカは当該スピーカの出力部を前記ボディの底部内面側に向けて前記内周壁の内側に取り付けられ、前記スピーカの出力部と対向する前記ボディの底部にはスリットが形成されているので、スピーカの出力部をボディの底部内面側に向けて内周壁の内側に取り付けてもスピーカの音が遮られることがなく、しかも実装基板およびスピーカの双方が収納室内に収納されることになるから、実装基板およびスピーカの双方をハウジング内部に侵入した水滴から保護することができる。
【図面の簡単な説明】
【図１】本発明に係る一実施形態のエレベータ用電子チャイムを示す図である。
【図２】本発明に係る一実施形態のエレベータ用電子チャイムを示す図である。
【図３】同エレベータ用電子チャイムに使用されるボディを示す図である。
【図４】同エレベータ用電子チャイムに使用されるカバーを示す図である。
【図５】同エレベータ用電子チャイムに使用される実装基板を示す図である。
【図６】カバーが水平方向を向く場合の防滴効果の説明図である。
【図７】カバーが鉛直方向上側を向く場合の防滴効果の説明図である。
【図８】従来のエレベータ用電子チャイムの一部分解斜視図である。
【図９】エレベータ用電子チャイムの取付面の説明図である。
【符号の説明】
１  ボディ
１１  底部
１２  外周壁
１３  内周壁
１４，１５  フランジ部
１６  筒部
１７，１８  突部
１９  突部
２  カバー
２１  底部
２２  側壁
２３  筒部
２４  筒部
２５，２６  突部
２７  リブ
３  実装基板
４  電線
５  スピーカ
【図１】
0003678190.tif 000002
【図２】
0003678190.tif 000003
【図３】
0003678190.tif 000004
【図４】
0003678190.tif 000005
【図５】
0003678190.tif 000006
【図６】
0003678190.tif 000007
【図７】
0003678190.tif 000008
【図８】
0003678190.tif 000009
【図９】
0003678190.tif 000010